(57)【要約】【課題】霧化可能な状態にあるか否かの判別が可能であり、かつ簡単な構成を有する霧化器を提供する。【解決手段】霧化器１は、導電性を有する導電性液体１３を霧化する霧化器である。霧化器１は、液体供給機構２０と、導電性の振動板１１と、導通検出部３２とを備えている。液体供給機構２０は、導電性液体１３を供給する。液体供給機構２０の少なくとも一部は、導電性を有する。振動板１１は、液体供給機構２０と電気的に導通しないように配置されている。振動板１１は、液体供給機構２０により供給された導電性液体１３を、振動することにより霧化させる。導通検出部３２は、液体供給機構２０と振動板１１との間が電気的に導通しているか否かを検出する。【選択図】図１
2011189231.tif 000002
【特許請求の範囲】
【請求項１】
導電性を有する導電性液体を霧化する霧化器であって、
前記導電性液体を供給する液体供給機構であって、少なくとも一部が導電性を有する液体供給機構と、
前記液体供給機構と電気的に導通しないように配置されており、前記液体供給機構により供給された導電性液体を、振動することにより霧化させる導電性の振動板と、
前記液体供給機構と前記振動板との間が電気的に導通しているか否かを検出する導通検出部とを備える、霧化器。
【請求項２】
前記導通検出部は、前記液体供給機構と前記振動板との間の電気抵抗を検出することにより前記液体供給機構と前記振動板との間の電気的な導通を検出する、請求項１に記載の霧化器。
【請求項３】
前記振動板を振動させる駆動部と、
前記液体供給機構と前記振動板との間が電気的に導通していることが前記導通検出部により検出されたときに前記駆動部を稼働状態とする一方、前記液体供給機構と前記振動板との間が電気的に導通していないことが前記導通検出部により検出されたときに前記駆動部を停止状態にする制御部とをさらに備える、請求項１または２に記載の霧化器。
【請求項４】
前記液体供給機構は、前記導電性液体を溜めておくタンクと、前記タンクに溜められた導電性液体を送液する送液部とをさらに有し、
前記送液部に設けられており、前記導電性液体が前記タンク側に逆流することを抑制する逆流抑制機構をさらに備える、請求項１〜３のいずれか一項に記載の霧化器。
【請求項５】
前記振動板は、前記液体供給機構と直接接触しないように配置されており、前記液体供給機構と前記振動板とは、前記液体供給機構と前記振動板との間に前記導電性液体が介在したときに電気的に導通する、請求項１〜４のいずれか一項に記載の霧化器。
【請求項６】
導電性を有する導電性液体を霧化する霧化器であって、前記導電性液体を供給する液体供給機構であって、少なくとも一部が導電性を有する液体供給機構と、前記液体供給機構と電気的に導通しないように配置されており、前記液体供給機構により供給された導電性液体を、振動することにより霧化させる導電性の振動板とを備える霧化器の制御装置であって、
前記液体供給機構と前記振動板との間が電気的に導通しているか否かを検出する導通検出部を備える、霧化器の制御装置。
【請求項７】
前記霧化器は、前記振動板を振動させる駆動部をさらに備え、
前記液体供給機構と前記振動板との間が電気的に導通していることが前記導通検出部により検出されたときに前記駆動部を稼働状態とする一方、前記液体供給機構と前記振動板との間が電気的に導通していないことが前記導通検出部により検出されたときに前記駆動部を停止状態にする制御部をさらに備える、請求項６に記載の霧化器の制御装置。
【請求項８】
導電性を有する導電性液体を霧化する霧化器であって、前記導電性液体を供給する液体供給機構であって、少なくとも一部が導電性を有する液体供給機構と、前記液体供給機構と電気的に導通しないように配置されており、前記液体供給機構により供給された導電性液体を、振動することにより霧化させる導電性の振動板とを備える霧化器の制御方法であって、
前記液体供給機構と前記振動板との間が電気的に導通しているか否かを検出することにより、前記振動板に前記導電性液体が供給されているか否かを判定する、霧化器の制御方法。
【請求項９】
前記液体供給機構と前記振動板との間が電気的に導通していると判定されたときに霧化を行う一方、前記液体供給機構と前記振動板との間が電気的に導通していないと判定されたときには霧化を行わない、請求項８に記載の霧化器の制御方法。
【発明の詳細な説明】
【技術分野】
【０００１】
本発明は、霧化器、その制御装置及び制御方法に関する。特には、本発明は、導電性を有する導電性液体を霧化する霧化器、その制御装置及び制御方法に関する。
【背景技術】
【０００２】
従来、例えば、下記の特許文献１などにおいて、芳香剤や消臭剤などの種々の液体を霧化するための霧化器が種々提案されている。
【０００３】
図５は、特許文献１に記載された霧化器の概略構成図である。図５に示すように、霧化器１００は、ホーン型振動体１０１を備えている。振動体１０１の霧化面１０１ａとは反対側には、振動子１０２が取り付けられている。一方、霧化面１０１ａには、メッシュ部材１０３が配置されている。また、霧化器１００には、振動体１０１の霧化面１０１ａに薬液を共有する給液装置１０４が設けられている。
【０００４】
霧化器１００では、給液装置１０４により霧化面１０１ａに供給された薬液が、振動体１０１の振動により霧化されることにより、薬液の霧が発生する。
【０００５】
なお、霧化器１００では、霧化開始は、振動体１０１に加わる液負荷によるインピーダンス変化を電気的に検知することにより行われる。
【先行技術文献】
【特許文献】
【０００６】
【特許文献１】特開２００１−１４９４７３号公報
【発明の概要】
【発明が解決しようとする課題】
【０００７】
霧化器１００では、霧化器が霧化可能な状態になっているか否かの判別を、振動体１０１に加わる液負荷によるインピーダンス変化を電気的に検知することにより行っている。このため、インピーダンス変化を検知するための複雑な検知回路が必要となる。
【０００８】
本発明は、かかる点に鑑みてなされたものであり、その目的は、霧化可能な状態にあるか否かの判別が可能であり、かつ簡単な構成を有する霧化器を提供することにある。
【課題を解決するための手段】
【０００９】
本発明に係る霧化器は、導電性を有する導電性液体を霧化する霧化器である。本発明に係る霧化器は、液体供給機構と、導電性の振動板と、導通検出部とを備えている。液体供給機構は、導電性液体を供給する。液体供給機構の少なくとも一部は、導電性を有する。振動板は、液体供給機構と電気的に導通しないように配置されている。振動板は、液体供給機構により供給された導電性液体を、振動することにより霧化させる。導通検出部は、液体供給機構と振動板との間が電気的に導通しているか否かを検出する。
【００１０】
本発明に係る霧化器のある特定の局面では、導通検出部は、液体供給機構と振動板との間の電気抵抗を検出することにより液体供給機構と振動板との間の電気的な導通を検出する。
【００１１】
本発明に係る霧化器の他の特定の局面では、霧化器は、駆動部と、制御部とをさらに備えている。駆動部は、振動板を振動させる。制御部は、液体供給機構と振動板との間が電気的に導通していることが導通検出部により検出されたときに駆動部を稼働状態とする。制御部は、液体供給機構と振動板との間が電気的に導通していないことが導通検出部により検出されたときに駆動部を停止状態にする。この構成によれば、振動板に導電性液体が供給されておらず、霧化不能な状態において振動板が駆動することを抑制することができる。従って、霧化器の消費電力を低減することができる。
【００１２】
なお、本発明において、「停止状態にする」には、稼働状態から停止状態にすることと、停止状態を維持することとの両方が含まれるものとする。同様に、「稼働状態にする」には、停止状態から稼働状態にすることと、稼働状態を維持することとの両方が含まれるものとする。
【００１３】
本発明に係る霧化器の別の特定の局面では、液体供給機構は、導電性液体を溜めておくタンクと、タンクに溜められた導電性液体を送液する送液部とをさらに有する。霧化器は、送液部に設けられており、導電性液体がタンク側に逆流することを抑制する逆流抑制機構をさらに備えている。この構成によれば、振動板に導電性液体が供給された状態を長時間にわたって維持することができる。
【００１４】
本発明に係る霧化器のさらに他の特定の局面では、振動板は、液体供給機構と直接接触しないように配置されており、液体供給機構と振動板とは、液体供給機構と振動板との間に導電性液体が介在したときに電気的に導通する。
【００１５】
本発明に係る霧化器の制御装置は、導電性を有する導電性液体を霧化する霧化器であって、導電性液体を供給する液体供給機構であって、少なくとも一部が導電性を有する液体供給機構と、液体供給機構と電気的に導通しないように配置されており、液体供給機構により供給された導電性液体を、振動することにより霧化させる導電性の振動板とを備える霧化器の制御装置である。本発明に係る霧化器の制御装置は、液体供給機構と振動板との間が電気的に導通しているか否かを検出する導通検出部を備えている。
【００１６】
本発明に係る霧化器の制御装置のある特定の局面では、霧化器は、振動板を振動させる駆動部をさらに備え、制御装置は、液体供給機構と振動板との間が電気的に導通していることが導通検出部により検出されたときに駆動部を稼働状態とする一方、液体供給機構と振動板との間が電気的に導通していないことが導通検出部により検出されたときに駆動部を停止状態にする制御部をさらに備えている。この構成によれば、振動板に導電性液体が供給されておらず、霧化不能な状態において振動板が駆動することを抑制することができる。従って、霧化器の消費電力を低減することができる。
【００１７】
本発明に係る霧化器の制御方法は、導電性を有する導電性液体を霧化する霧化器であって、導電性液体を供給する液体供給機構であって、少なくとも一部が導電性を有する液体供給機構と、液体供給機構と電気的に導通しないように配置さられており、液体供給機構により供給された導電性液体を、振動することにより霧化させる導電性の振動板とを備える霧化器の制御方法である。本発明に係る霧化器の制御方法では、液体供給機構と振動板との間が電気的に導通しているか否かを検出することにより、振動板に導電性液体が供給されているか否かを判定する。
【００１８】
本発明に係る霧化器の制御方法のある特定の局面では、液体供給機構と振動板との間が電気的に導通していると判定されたときに霧化を行う一方、液体供給機構と振動板との間が電気的に導通していないと判定されたときには霧化を行わない。この構成によれば、振動板に導電性液体が供給されておらず、霧化不能な状態において振動板が駆動することを抑制することができる。従って、霧化器の消費電力を低減することができる。
【発明の効果】
【００１９】
本発明では、送液部と振動板との間が電気的に導通しているか否かを検出する導通検出部が設けられている。この導通検出部により霧化可能な状態にあるか否かの判別ができるため、例えば、インピーダンス変化を検知するための複雑な検知回路を必要としない。従って、本発明によれば、簡単な構成で、霧化可能な状態にあるか否かの判別が可能となる。
【図面の簡単な説明】
【００２０】
【図１】本発明を実施した一実施形態に係る霧化器の略図的構成図である。
【図２】本発明を実施した一実施形態における導通検出部の略図的構成図である。
【図３】本発明を実施した一実施形態における導通検出部の具体的構成例を表す構成図である。
【図４】本発明を実施した一実施形態に係る霧化器において行われる工程のフローチャートである。
【図５】特許文献１に記載された霧化器の概略構成図である。
【発明を実施するための形態】
【００２１】
以下、本発明を実施した好ましい形態について、図１に示す霧化器１を例に挙げて説明する。但し、霧化器１は、単なる例示である。本発明に係る霧化器は、霧化器１に何ら限定されない。
【００２２】
図１は、本発明を実施した一実施形態に係る霧化器の略図的構成図である。図２は、本発明を実施した一実施形態における導通検出部の略図的構成図である。図３は、本発明を実施した一実施形態における導通検出部の具体的構成例を表す構成図である。図４は、本発明を実施した一実施形態に係る霧化器において行われる工程のフローチャートである。
【００２３】
図１に示す霧化器１は、どのような種類の霧化方式を採用した霧化器であってもよい。具体的には、霧化器１は、例えば、キャビテーション噴霧を行うキャビテーション式霧化器であってもよいし、インクジェット噴霧を行うインクジェット式霧化器であってもよい。
【００２４】
霧化器１は、導電性を有する導電性液体１３を霧化するものである。ここで、導電性液体１３の種類は、特に限定されず、例えば水道水や電解質が溶解した水溶液などであってもよい。また、導電性液体１３は、湿度を上昇させるための水や、消臭剤、芳香剤等であってもよい。
【００２５】
図１に示すように、霧化器１は、霧化部材１０と、液体供給機構２０とを備えている。
【００２６】
霧化部材１０は、導電性液体１３を霧化させるための部材である。霧化部材１０は、導電性を有する振動板１１と、振動子１２とを備えている。振動板１１は、導電性を有するものである限りにおいて特に限定されない。振動板１１は、例えば、金属や合金により形成することができる。また、振動板１１は、例えば、表面に金属膜や合金膜などの導電膜が形成された絶縁部材により構成することもできる。なお、この絶縁部材は、例えば、セラミックスや樹脂などにより形成することができる。
【００２７】
なお、振動板１１の形態は、霧化器１の霧化方式に応じて適宜設定することができる。例えば、霧化器１がキャビテーション式霧化器である場合は、振動板１１は、貫通孔を有さない導電性の板状部材により構成することができる。霧化器１がキャビテーション式霧化器である場合は、振動板１１が超音波振動し、それによりもたらされる大きな圧力変動により、導電性液体１３の表面から霧が発生する。
【００２８】
一方、霧化器１がインクジェット噴霧を行うインクジェット式霧化器である場合は、振動板１１は、導電性液体１３と接触する部分に貫通孔が形成されている板状部材により構成することができる。霧化器１がインクジェット式霧化器である場合は、振動板１１が振動することにより、導電性液体１３が貫通孔から霧（ドライフォグ）となって飛散する。
【００２９】
なお、振動板１１は、後述する液体供給機構２０の送液部２１と電気的に導通しないように配置されている。本実施形態では、具体的には、振動板１１は、液体供給機構２０と直接接触しないように設けられている。振動板１１と液体供給機構２０とは、振動板１１と液体供給機構２０の導電性を有する部分との間に、導電性液体１３が介在したときに電気的に導通する。詳細には、振動板１１と液体供給機構２０の導電性を有する部分との両方に導電性液体１３が接触するように配置されたときに、振動板１１と液体供給機構２０との間に導電性液体１３を介して一定値以上の値を有する電流が伝導可能となる。
【００３０】
振動子１２は、振動板１１を振動させることができるものである限りにおいて特に限定されない。本実施形態では、振動子１２は、圧電素子により構成されている。具体的には、振動子１２は、圧電体１２ａと、圧電体１２ａに電圧を印加する一対の電極とを備えている。一対の電極のうちの一方は、電極１２ｂにより構成されており、他方は、振動板１１により構成されている。圧電体１２ａは、例えば、チタン酸ジルコン酸鉛（ＰＺＴ）系セラミックスなどの圧電セラミックス等により形成することができる。
【００３１】
液体供給機構２０は、導電性液体１３を振動板１１に供給するための機構である。液体供給機構２０は、送液部２１と、送液ポンプ２２と、液体タンク２３と、逆流抑制機構２４とを備えている。液体タンク２３は、導電性液体１３を貯留しておくタンクである。送液部２１は、液体タンク２３に貯留されている導電性液体１３を振動板１１近傍まで送液するものである。送液部２１は、導電性を有し、かつ、導電性液体１３を送液できるものである限りにおいて特に限定されない。本実施形態では、送液部２１は、金属または合金製のパイプにより構成されている例について説明する。もっとも、送液部２１は、例えば、導電性を有する毛細管の束などのような、毛細管現象により自身で導電性液体１３を吸い上げるものであってもよい。
【００３２】
送液部２１には、送液ポンプ２２が配置されている。送液ポンプ２２は、液体タンク２３に貯留されている導電性液体１３を、吸い上げて、送液部２１を介して振動板１１近傍まで供給するための動力を供給する。
【００３３】
逆流抑制機構２４は、送液部２１に設けられており、導電性液体１３が液体タンク２３側に逆流することを抑制するものである。この逆流抑制機構２４を設けることにより、振動板１１に導電性液体１３が供給された状態を長時間にわたって維持することができる。
【００３４】
逆流抑制機構２４は、導電性液体１３の逆流を抑制できるものであれば特に限定されず、例えば、公知の逆流防止弁により構成してもよい。また、逆流抑制機構２４は、例えば、複数の毛細管が束ねられてなる部材や、フェルトなどの、毛細管現象が発現する程度に細い細孔が形成された部材により構成することもできる。これによって、導電性液体１３が逆流する流量、つまり送液部２１から液体タンク２３に導電性液体１３が単位時間に流れる液体の体積に対して、導電性液体１３の液面の位置を維持するために液体タンク２３から送液部２１へ導電性液体１３を送液する流量を減少させることができる。従って、送液ポンプ２２の稼働率を低減できる。例えば、送液ポンプ２２が電気駆動の送液ポンプであるとき、送液ポンプの稼働時間が逆流抑制機構２４によって短縮されることで送液ポンプの消費電力を低減することができる。
【００３５】
霧化部材１０と液体供給機構２０とには、制御装置３０が接続されている。制御装置３０は、制御部３１ａと、駆動部３１ｂと、導通検出部３２とを備えている。
【００３６】
駆動部３１ｂは、霧化部材１０を駆動する。霧化器１では、制御部３１ａにより送液ポンプ２２が駆動され、振動板１１近傍に導電性液体１３が供給される。それと共に、制御部３１ａにより駆動部３１ｂが駆動されることにより、振動板１１と電極１２ｂとの間に電圧が印加され、圧電体１２ａ及び振動板１１が振動する。その結果、導電性液体１３の霧化が行われる。
【００３７】
導通検出部３２は、導電性を有する送液部２１と、導電性を有する振動板１１との間が電気的に導通しているか否かを検出する。具体的には、導通検出部３２は、送液部２１と振動板１１との間の電気抵抗を検出することにより送液部２１と振動板１１との間の電気的な導通を検出する。例えば、導電性液体１３が送液部２１と振動板１１との間の隙間に存在せず、霧化不能な状態にある場合は、送液部２１と振動板１１との間が絶縁された状態となる。一方、送液部２１と振動板１１との間の隙間が導電性液体１３により満たされており、霧化可能な状態にある場合は、送液部２１と振動板１１とが電気的に導通する。従って、送液部２１と振動板１１との間の電気抵抗を検出することにより送液部２１と振動板１１との間の電気的な導通を検出することができる。
【００３８】
導通検出部３２の構成は、適宜の構成を採用し得る。本実施形態では、導通検出部３２は、図２及び図３に例示される構成を有する。具体的には、導通検出部３２は、図２及び図３に示すように、電源３４を備えている。この電源３４により、図１に示す送液部２１に電圧が印加される。印加された電圧は、増幅部３５により増幅され、比較部３７に入力される。そして、比較部３７において、入力された電圧と、基準電圧発生部３６において発生した基準電圧とが比べられる。その結果、入力された電圧が、基準電圧よりも高い場合は、送液部２１と振動板１１とが電気的に導通していないものとして、比較部３７から、図１に示す制御部３１ａに、電気的に導通していないことを示す信号が出力される。または、比較部３７から、信号が出力されない。
【００３９】
一方、入力された電圧が、基準電圧よりも低い場合は、送液部２１と振動板１１とが電気的に導通しているものとして、比較部３７から、図１に示す制御部３１ａに、電気的に導通していることを示す信号が出力される。または、比較部３７から、信号が出力されない。制御部３１ａでは、この比較部３７からの信号に基づいて、送液部２１と振動板１１との間が電気的に導通しているか否かを判断する。
【００４０】
次に、霧化器１の制御について詳細に説明する。
【００４１】
本実施形態の霧化器１では、送液部２１と振動板１１との間が電気的に導通していることが導通検出部３２により検出された場合は、制御部３１ａは、駆動部３１ｂを稼働状態とする。このため、霧化が行われている状態となる。一方、送液部２１と振動板１１との間が電気的に導通していないことが導通検出部３２により検出された場合は、制御部３１ａは、駆動部３１ｂを停止状態とする。このため、霧化が行われていない状態となる。
【００４２】
より具体的には、図４に示すように、まず、ステップＳ１において、制御部３１ａは、導通検出部３２からの信号に基づいて、送液部２１と振動板１１との間が電気的に導通しているか否かを判断する。
【００４３】
ステップＳ１において、制御部３１ａが電気的に導通していないと判断した場合は、ステップＳ２に進む。
【００４４】
ステップＳ２では、制御部３１ａは、送液ポンプ２２を駆動させる。これにより、導電性液体１３の送液が試みられる。
【００４５】
次に、ステップＳ３において、制御部３１ａは、タイマーを作動させる。そのタイマーが終了した後に、ステップＳ４において、制御部３１ａは、送液ポンプ２２を停止させる。ステップＳ４終了後、再度ステップＳ１に戻る。
【００４６】
一方、ステップＳ１において、制御部３１ａが電気的に導通していると判断した場合は、ステップＳ５に進む。
【００４７】
ステップＳ５では、制御部３１ａは、駆動部３１ｂを作動させる。ここで、ステップＳ５に進んだ場合は、ステップＳ１において、振動板１１まで導電性液体１３が供給されていることが確認されている。このため、ステップＳ５においては、霧化が確実に開始する。その後、制御部３１ａは、ステップＳ６において、タイマーを作動させる。そのタイマーが終了した後に、制御部３１ａは、ステップＳ７において、駆動部３１ｂを停止させる。その結果、霧化が終了する。
【００４８】
なお、この図４に示すフローチャートの一連のステップを、一定期間ごとに行うようにしてもよい。また、霧化器１にスイッチを設け、スイッチがオフされるまでは、駆動部３１ｂを作動状態として、霧化を継続するようにしてもよい。
【００４９】
以上説明したように、本実施形態では、送液部２１と振動板１１との間が電気的に導通しているか否かを検出する導通検出部３２によって、霧化可能な状態にあるか否かが判断される。絶縁及び電気的導通という二値状態、例えば直流電圧に対する電気抵抗値の変化、で検出できる導通検出部３２であれば、振動体１０１に加わる液負荷によるインピーダンス変化を検知する検知回路よりも簡単な構成で実現できる。より具体的には、本実施形態では、交流電圧に対する発振回路及び整流回路などの電気回路を用いなくても霧化可能な状態にあるか否かが判断することも可能である。このため、振動体１０１に加わる液負荷によるインピーダンス変化、例えば交流電圧に対する合成インピーダンス値の変動によって霧化可能な状態にあるか判別する従来技術に比べ簡単な構成で霧化器を実現することができる。従って、本実施形態の霧化器１は、簡単な構成でありつつ、霧化可能な状態にあるか否かの判別が可能である。
【００５０】
また、本実施形態では、導通検出部３２からの信号に基づいて、導電性液体１３が振動板１１付近に供給されておらず、霧化不能な状態にあると判断された場合は、霧化が行われない。従って、霧化不能な状態において振動板１１が不要に振動することを抑制することができる。その結果、霧化器１の消費電力を低くすることができる。
【００５１】
なお、本実施形態における制御装置３０の制御部３１ａ以外の各構成により実現されている機能は、例えば、制御部３１ａによって、ソフトウェアによって行われてもよい。その場合、ソフトウェアによって行われた各機能を実現する各構成を設ける必要は必ずしもない。
【００５２】
また、本実施形態では、送液部２１と振動板１１との間の電気的な導通を検出する例について説明したが、例えば、送液ポンプ２２や液体タンク２３と、振動板１１との間の電気的な導通を検出するようにしてもよい。その場合、液体供給機構２０の全体が導電性を有するものとする必要は、必ずしもない。液体供給機構２０のうち、導電性液体１３と接している部分のうちの少なくとも一部が導電性を有していればよい。
【符号の説明】
【００５３】
１…霧化器
１０…霧化部材
１１…振動板
１２…振動子
１２ａ…圧電体
１２ｂ…電極
１３…導電性液体
２０…液体供給機構
２１…送液部
２２…送液ポンプ
２３…液体タンク
２４…逆流抑制機構
３０…制御装置
３１ａ…制御部
３１ｂ…駆動部
３２…導通検出部
３４…電源
３５…増幅部
３６…基準電圧発生部
３７…比較部
【図１】
2011189231.tif 000003
【図２】
2011189231.tif 000004
【図３】
2011189231.tif 000005
【図４】
2011189231.tif 000006
【図５】
2011189231.tif 000007